(57)【要約】  標本（５）の共役位置近傍において光源からの光束を光軸の周りで分割方向が異なる複数群の光束に分割する回折格子（１３）と、複数群の光束から１群の光束を選択して透過させるとともに光軸に対し回転可能な光束選択部材（１８）と、光束選択部材（１８）の近傍において光軸に対し回転可能な1/2波長板（１７）とを照明光学系（１０）内に配置する。1/2波長板（１７）及び前記光束選択部材（１８）は、1/2波長板（１７）を通過した光束の偏光方向が、光束選択部材（１８）により選択された１群の光束の回折格子（１３）による分割方向に対して垂直となるように、光軸に対する各々の回転角度が設定される。
2013001805.tif 000002
【特許請求の範囲】
【請求項１】
標本の共役位置近傍に配置され、光源からの光束を所定の軸の周りで分割方向が異なる複数群の光束に分割する光束分割手段と、
前記複数群の光束から、少なくとも１群の光束を選択する光束選択部材とを有し、
前記少なくとも１群の光束に含まれる複数の光束による干渉縞を前記標本に形成する構造化照明光学系であって、
さらに、1/2波長板を含み、
前記1/2波長板の進相軸は、前記光束選択部材により選択される前記１群の光束に依存して決まる、前記1/2波長板から出射する光束の偏光方向に応じて、前記1/2波長板に入射する光束の偏光方向と前記1/2波長板から出射する光束の偏光方向とのなす角の１／２の位置に設定されることを特徴とする構造化照明光学系。
【請求項２】
前記1/2波長板から出射する光束の偏光方向は、前記光束選択部材により選択される前記１群の光束の前記光束分割手段による分割方向に対して垂直であることを特徴とする請求項１に記載の構造化照明光学系。
【請求項３】
前記1/2波長板及び前記光束選択部材は、前記構造化照明光学系の光軸に対して回転可能に構成され、前記光軸に対する各々の回転角度が設定されることを特徴とする請求項１または２に記載の構造化照明光学系。
【請求項４】
前記1/2波長板の回転角度は、前記光束選択部材の回転角度の２分の１であることを特徴とする請求項３に記載の構造化照明光学系。
【請求項５】
前記1/2波長板は前記光束選択部材の２分の１の回転速度で同方向に回転するように構成されたことを特徴とする請求項３または４に記載の構造化照明光学系。
【請求項６】
前記１／２波長板は、液晶素子からなり、該液晶素子を駆動制御することにより、前記進相軸を設定することを特徴とする請求項１または２に記載の構造化照明光学系。
【請求項７】
前記１／２波長板は、前記光束選択部材の近傍に配置されることを特徴とする請求項１〜６のいずれか一項に記載の構造化照明光学系。
【請求項８】
標本の共役位置近傍に配置され、光源からの光束を複数の光束に分割する光束分割手段と、
前記複数の光束の分割方向を制御する制御手段とを有し、
前記複数の光束による干渉縞を前記標本に形成する構造化照明光学系であって、
さらに1/2波長板を含み、
前記1/2波長板の進相軸は、前記複数の光束の分割方向に依存して決まる、前記1/2波長板から出射する光束の偏光方向に応じて、前記1/2波長板に入射する光束の偏光方向と、前記1/2波長板から出射する光束の偏光方向とのなす角の１／２の位置に設定されることを特徴とする構造化照明光学系。
【請求項９】
前記1/2波長板から出射する光束の偏光方向は、前記複数の光束の分割方向に対して垂直であることを特徴とする請求項８に記載の構造化照明光学系。
【請求項１０】
前記1/2波長板及び前記光束分割手段は、前記制御手段により前記構造化照明光学系の光軸に対して回転制御され、前記光軸に対する各々の回転角度が設定されることを特徴とする請求項８または９に記載の構造化照明光学系。
【請求項１１】
前記1/2波長板の回転角度は、前記光束分割手段の回転角度の２分の１であることを特徴とする請求項１０に記載の構造化照明光学系。
【請求項１２】
前記1/2波長板は前記光束分割手段の２分の１の回転速度で同方向に回転するように構成されたことを特徴とする請求項１０または１１に記載の構造化照明光学系。
【請求項１３】
前記１／２波長板は、液晶素子からなり、該液晶素子を駆動制御することにとより、前記進相軸を設定することを特徴とする請求項８または９に記載の構造化照明光学系。
【請求項１４】
前記1/2波長板は、前記光束分割手段の近傍に配置されることを特徴とする請求項８〜１３のいずれか一項に記載の構造化照明光学系。
【請求項１５】
前記1/2波長板における前記光束の常光線と異常光線との位相差が±５度以内であることを特徴とする請求項１〜１３のいずれか一項に記載の構造化照明光学系。
【請求項１６】
請求項１〜１５のいずれか一項に記載の構造化照明光学系と、
前記複数の光束の位相を変調する位相変調部と、
前記標本からの光を撮像装置の撮像面上に結像させる結像光学系と、
前記位相変調部により前記複数の光束の位相が変調される度に前記撮像装置により撮像された複数の画像を演算処理することにより標本像を生成する画像処理部と、
を備えたことを特徴とする構造化照明顕微鏡装置。
【請求項１７】
前記位相変調部は、前記光束分割手段を前記光軸に直交する方向に駆動させることにより、前記複数の光束の位相を変調することを特徴とする請求項１６に記載の構造化照明顕微鏡装置。
【請求項１８】
前記複数の光束の位相変調量に基づいて、前記位相変調部による前記光束分割手段の駆動量を決定する駆動量決定部を備えたことを特徴とする請求項１６に記載の構造化照明顕微鏡装置。
【発明の詳細な説明】
【技術分野】
【０００１】
本発明は、構造化照明光学系および構造化照明顕微鏡装置に関する。
【背景技術】
【０００２】
試料（標本）における微小構造の観察や計測の分野において、より高い空間分解能が求められている。この空間分解能を高める方法として、試料を縞状の照明光で変調して撮像し、画像処理によって復調を行う手法が提案されている（例えば、下記特許文献１，２を参照）。【０００３】
下記特許文献１に開示されている第６の実施形態は、蛍光観察装置に適用した例であり、その光学系は、光源から発せられた可干渉光を含む照明光を回折格子等の光束分割素子によって分割後、分割した複数の照明光束を対物レンズの瞳位置に集光させ、対物レンズから角度の異なる平行光束として射出させ、観察物体近傍で重なり合う干渉縞を形成する。縞状に変調された照明光により、本来結像光学系のみでは伝達できなかった観察物体の形状情報の空間周波数成分を含む回折光を結像に関与させることができる。そして、分割した照明光の位相を相対的に変調することにより、干渉縞を観察物体上で移動させて複数の画像を取得し、画像演算処理による像形成を可能にしている。【０００４】
具体的には、光束分割素子を光軸と垂直な方向に移動させることによって、あるいは別の例では、照明光の一方の光路に楔形プリズムを挿入し、それを光軸と垂直な方向に移動させることによって、干渉縞を移動させるための位相変調を行っている。【０００５】
下記特許文献２に開示されている方法は、光源から発せられた可干渉光を含む照明光を光ファイバにより導入後、回折格子等の光束分割手段によって分割し、分割した複数の照明光を対物レンズの瞳位置に集光させ、観察物体近傍で干渉縞を形成する。上述の場合と同様に、縞状に変調された照明光により、本来結像光学系のみでは伝達できなかった観察物体の形状情報の高周波成分を結像に関与させることができる。そして上述の場合と同様にして複数の画像を取得し、画像演算処理による像形成を行っている。【０００６】
この方法では、１枚の画像を形成するために、照明光に位相変調を与えた複数の画像を取得するだけでなく、照明光の干渉縞の向きも変えて画像取得している。その理由は、高周波成分が結像に関与できるのは、照明光の干渉縞の方向と同じ方向を持った構造のみであるため、２次元に広がる標本の形状を再現するには、干渉縞の方向を変えて複数の画像を取得して合成する必要があるからである。【０００７】
このような構造化照明において、一般に２光束以上を干渉させる場合には干渉面に対して光束がＳ偏光であることが望ましい。その理由は、Ｓ偏光の光束が干渉した場合のコントラストが入射角によらず１であることに対して、Ｐ偏光で入射した場合のコントラストは光束の入射角の差Δθに対してcos(Δθ)に比例して減衰するためである。なお、Δθ＞９０度においてＰ偏光のコントラストの数値が負になるが、これは干渉縞の明暗が反転することを意味している。【０００８】
構造化照明顕微鏡は高い解像度を得るために利用される技術であることから、利用される対物レンズの開口数（ＮＡ）はできるだけ大きいことが望ましく、構造化照明の縞周期もできるだけ細かいことが望ましい。その結果、構造化照明のための光束は大きな角度での標本への入射となるため、Ｐ偏光成分があると前述のΔθが大きいため、Ｐ偏光の減衰が大きく、それが構造化照明コントラストを悪化させる原因となる。
【先行技術文献】
【特許文献】
【０００９】
【特許文献１】米国特許発明第６２３９９０９号公報
【特許文献２】米国再発行特許発明第３８３０７号明細書
【発明の概要】
【発明が解決しようとする課題】
【００１０】
構造化照明コントラストを悪化させるという問題を解決するために従来は、光源からの光を拡散板や振動させたマルチモード光ファイバに通すなどして無偏光状態とするとともに、回折格子と同軸に回転する偏光板を回折格子の近傍に設置し、この偏光板を使って無偏光状態の光を標本上でＳ偏光入射となるような直線偏光としていた。その結果、良好な構造化照明コントラストは得られたが、偏光板で略1/2の光量を遮断することとなり、光の利用効率が５０％と低い状態であった。【００１１】
本発明はこのような事情に鑑みてなされたもので、光源からの光の利用効率の高い構造化照明光学系および構造化照明顕微鏡を提供することを目的とする。
【課題を解決するための手段】
【００１２】
本発明を例示する構造化照明光学系の一態様は、標本の共役位置近傍に配置され、光源からの光束を所定の軸の周りで分割方向が異なる複数群の光束に分割する光束分割手段と、前記複数群の光束から、少なくとも１群の光束を選択する光束選択部材とを有し、前記少なくとも１群の光束に含まれる複数の光束による干渉縞を前記標本に形成する構造化照明光学系であって、さらに、1/2波長板を含み、前記1/2波長板の進相軸は、前記光束選択部材により選択される前記１群の光束に依存して決まる、前記1/2波長板から出射する光束の偏光方向に応じて、前記1/2波長板に入射する光束の偏光方向と前記1/2波長板から出射する光束の偏光方向とのなす角の１／２の位置に設定されることを特徴とするものである。【００１３】
本発明を例示する構造化照明光学系の別の一態様は、標本の共役位置近傍に配置され、光源からの光束を複数の光束に分割する光束分割手段と、前記複数の光束の分割方向を制御する制御手段とを有し、前記複数の光束による干渉縞を前記標本に形成する構造化照明光学系であって、さらに1/2波長板を含み、前記1/2波長板の進相軸は、前記複数の光束の分割方向に依存して決まる、前記1/2波長板から出射する光束の偏光方向に応じて、前記1/2波長板に入射する光束の偏光方向と、前記1/2波長板から出射する光束の偏光方向とのなす角の１／２の位置に設定されることを特徴とするものである。【００１４】
本発明を例示する構造化照明顕微鏡の一態様は、前記構造化照明光学系と、前記複数の光束の位相を変調する位相変調部と、前記標本からの光を撮像装置の撮像面上に結像させる結像光学系と、前記位相変調部により前記複数の光束の位相が変調される度に前記撮像装置により撮像された複数の画像を演算処理することにより標本像を生成する画像処理部と、を備えたことを特徴とするものである。
【発明の効果】
【００１５】
本発明によれば、光源からの光の多くをＳ偏光の構造化照明光として使用することができるので、光の使用効率を高くすることができる。
【図面の簡単な説明】
【００１６】
【図１】本発明の第１実施形態に係る構造化照明顕微鏡装置の光学系の概要を示す図である。
【図２】第１実施形態で使用される回折格子の概略構成図（ａ）と回折格子により分割される回折光を例示する模式図（ｂ）である。
【図３】第１実施形態で使用される1/2波長板及び光束選択部材の各回転角度の関係を示す図（（ａ）は基準位置にある状態、（ｂ）は基準位置から回転した状態）である。
【図４】第１実施形態で使用される光束選択部材の回転角度と選択される光束との関係を示す図（（ａ）は光束選択部材の回転角度が右方にθ1の場合、（ｂ）は光束選択部材の回転角度が右方にθ2の場合、（ｃ）は光束選択部材の回転角度が左方にθ3の場合）である。
【図５】第１実施形態の照明光学系の機能を概略的に示す図である。
【図６】第１実施形態で使用される光束選択部材の構成図である。
【図７】第１実施形態で使用される回折格子の並進移動による位相変調の方法を示す図（（ａ）は全体図、（ｂ）は各波数ベクトルの方向と移動量との関係を示す図）である。
【図８】本発明の第２実施形態に係る構造化照明顕微鏡装置で使用される光束選択部材の構成図である。
【図９】第２実施形態で使用される光束選択部材の回転角度と選択される光束との関係を示す図である。
【図１０】本発明の第３実施形態に係る構造化照明顕微鏡装置の光学系の概要を示す図である。
【図１１】第３実施形態で使用される回折格子の概略構成図（ａ）と回折格子により分割される回折光を例示する模式図（ｂ）である。
【図１２】第３実施形態で使用される1/2波長板及び回折格子の各回転角度の関係を示す図（（ａ）は基準位置にある状態、（ｂ）は基準位置から回転した状態）である。
【図１３】第３実施形態の照明光学系の機能を概略的に示す図である。
【図１４】第４実施形態で使用される液晶素子の概略構成図（ａ）と1/2波長板としての機能を概略的に示す図（ｂ）である。
【発明を実施するための形態】
【００１７】
以下、本発明の実施形態について上記図面を参照しながら説明する。まず、図１〜図７を参照しながら本発明の第１実施形態について説明し、次に、図８及び図９を主に参照しながら本発明の第２実施形態について説明する。さらに、図１０〜図１３を参照しながら本発明の第３実施形態について説明する。また、図１４を参照しながら本発明の第４実施形態について説明する。
【００１８】
〈第１実施形態〉
図１に示すように、第１実施形態に係る構造化照明顕微鏡装置１は、例えば、蛍光性を有する標本（試料）５を観察する蛍光観察装置として利用されるものであり、対物レンズ６及びダイクロイックミラー７と、これら対物レンズ６及びダイクロイックミラー７を含む照明光学系１０（本実施形態における構造化照明光学系）と、同じく対物レンズ６及びダイクロイックミラー７を含む結像光学系３０と、ＣＣＤやＣＭＯＳ等からなる撮像素子３５と、画像記憶・演算装置４０と、画像表示装置４５とを主体に構成される。
【００１９】
上記照明光学系１０は、光源側から順に、光ファイバ１１と、コレクタレンズ１２と、回折格子１３と、集光レンズ１６と、1/2波長板１７と、光束選択部材１８と、レンズ２５と、視野絞り２６と、フィールドレンズ２７と、励起フィルタ２８と、ダイクロイックミラー７と、対物レンズ６とを有して構成される。また、上記結像光学系３０は、物体（標本５）側から順に、対物レンズ６と、ダイクロイックミラー７と、バリアフィルタ３１と、第２対物レンズ３２とを有して構成される。また、画像記憶・演算装置４０は、後述する並進駆動装置１５及び回転駆動装置２４と電気的に接続されており、並進駆動装置１５及び回転駆動装置２４の作動を制御するとともに、本実施形態において画像処理部及び駆動量決定部を構成する。
【００２０】
図示しない光源からの光は、光ファイバ１１によって導かれ、光ファイバ１１から射出された光はコレクタレンズ１２によって平行光に変換される。照明光として可干渉光であることが必要なため、光源としては例えばレーザー光が用いられる。レーザー光が用いられる場合、光ファイバ１１としては、例えば、偏波面保存のシングルモードファイバが用いられる。
【００２１】
本実施形態では、コレクタレンズ１２と回折格子１３との間に、偏光板２３が配置される。光源としてレーザー光が用いられる場合、光ファイバ１１の出射端での偏光状態は略直線偏光であるが、他の偏光成分を除去するために偏光板２３に通すことが望ましい。偏光板２３の軸は、光ファイバ１１からの射出光が偏光している場合はその偏光面（電場の振動軸の方向）に合わせておくが、非偏光の場合は任意の方向にしておく。
【００２２】
上記回折格子１３は、本実施形態における光束分割手段を構成するものであり、図２（ａ）に示すように、照明光学系１０の光軸と垂直な方向に２次元の（三角形状に広がる）周期構造を有している。この周期構造は、濃度（透過率）を利用して形成された周期構造、または段差（位相差）を利用して形成された周期構造とすることができるが、位相差型の周期構造の方が、±１次光の回折効率が高いという点で好ましい。
【００２３】
この回折格子１３は、偏光板２３を介してコレクタレンズ１２から入射する平行光（可干渉光）を、光軸の周りで分割方向（図２（ａ）において１点鎖線で示すＶ1〜Ｖ3）が異なる複数群（本実施形態では３群）の光束に分割するとともに、各群の光束において、光軸を中心に進行方向（回折方向）が対称となる複数の回折光（例えば、０次回折光や±１次回折光）を発生させる。なお、各々の分割方向Ｖ1〜Ｖ3は、回折格子１３の各波数ベクトルの方向（回折格子１３の格子線（刻線）に対し垂直な方向）に一致する。
【００２４】
回折格子１３で発生した複数の回折光はそれぞれ、図１に示す集光レンズ１６により、瞳共役面内において各回折光の回折方向及び回折次数に応じた位置に集光される。例えば、図２（ｂ）に示すように、瞳共役面の中心（光軸の位置）に０次回折光１４ａが集光され、０次回折光１４ａ（光軸の位置）を中心とした円上に、３つの＋１次回折光１４ｂ，１４ｃ，１４ｄ及び３つの−１次回折光１４ｅ，１４ｆ，１４ｇがそれぞれ等角度間隔（本実施形態では６０度間隔）に並んで集光される。なお、０次回折光１４ａと±１次回折光１４ｇ，１４ｄが分割方向Ｖ１に沿った１群の光束（以下「第１群の光束」と称する）を構成し、０次回折光１４ａと±１次回折光１４ｃ，１４ｆが分割方向Ｖ２に沿った１群の光束（以下「第２群の光束」と称する）を構成し、０次回折光１４ａと±１次回折光１４ｂ，１４ｅが分割方向Ｖ３に沿った１群の光束（以下「第３群の光束」と称する）を構成する。
【００２５】
また、図１に示すように回折格子１３は、ピエゾモータ等からなる並進駆動装置１５（本実施形態において位相変調部を構成する）によって照明光学系１０の光軸と垂直な方向に並進移動可能に構成されており、この並進移動により、照明光の位相を変調するようになっている（詳しくは後述する）。
【００２６】
上記1/2波長板１７（図１参照）は、回折格子１３で発生した複数の回折光（０次回折光や±１次回折光）の偏光方向をそれぞれ所定の方向の直線偏光に変換する。この1/2波長板１７の速い軸（進相軸）の向きは、この1/2波長板１７を通過した後、光束選択部材１８により選択される所定の１群の光束（第１群の光束〜第３群の光束のうちのいずれか）が標本５に照射される際にＳ偏光となるような向き、具体的には、光束選択部材１８により選択される所定の１群の光束の分割方向（図２（ａ）に１点鎖線で示す３つの分割方向Ｖ1〜Ｖ3のうちのいずれか）に対して垂直となる向き（選択される所定の１群の光束の偏光方向が当該光束と接する光軸周りの円の接線方向と平行になる向き）に設定される。なお、1/２波長板の速い軸とは、偏光している光が、1/2波長板を通過した場合に位相遅れが最も小さくなるときの偏光の方向をいう（以下において同じ）。
【００２７】
上記光束選択部材１８は、図４，６に示すように、1/2波長板１７により生成された±１次回折光（直線偏光）をそれぞれ通過させることが可能な第１及び第２の開口部１９，２０を有する円盤状に形成され、集光レンズ１６により回折光が集光される瞳共役面近傍に配置される（図１参照）。第１の開口部１９及び第２の開口部２０は、光束選択部材１８の中心を基準として対称に形成されており、瞳共役面に集光して並ぶ複数の±１次回折光（図２（ｂ）に示す６つの±１次回折光１４ｂ〜１４ｇ）のうち、照明光学系１０の光軸を基準に対称となる配置の（すなわち、進行方向（回折方向）が光軸を基準に対称となる）一対の±１次回折光（第１群の光束〜第３群の光束のうちのいずれかの群の光束に属する±１次回折光）のみが、この第１の開口部１９及び第２の開口部２０を通過できるようになっている。
【００２８】
具体的には、図２（ｂ）において、照明光学系１０の光軸を基準として上下に対称に並ぶ±１次回折光１４ｇ，１４ｄ（第１群の光束に属する）、顕微鏡側から見て右方に１２０度（左方に６０度）傾いて対称に並ぶ±１次回折光１４ｃ，１４ｆ（第２群の光束に属する）、及び顕微鏡側から見て左方に１２０度（右方に６０度）傾いて対称に並ぶ±１次回折光１４ｂ，１４e（第３群の光束に属する）のいずれか一対が、光束選択部材１８により選択されて第１の開口部１９及び第２の開口部２０を通過することになる。
【００２９】
また、図１に示すように光束選択部材１８は、電気モータ等からなる回転駆動装置２４によって、光束選択部材１８の近傍に配置された1/2波長板１７とともに光束選択部材１８の中心（照明光学系１０の光軸）を回転軸として回転可能に構成されており、この光束選択部材１８を回転させることにより、照明光学系１０の光軸を基準として対称に並ぶ三対の±１次回折光のうちいずれか一対の±１次回折光を選択し得るようになっている。すなわち、光束選択部材１８を回転させることによって、所望の回折方向および回折次数を有する回折光（±１次回折光）を選択することができ、結果的に構造化照明方向を選択することが可能となっている。
【００３０】
一方で、光束選択部材１８は、回折格子１３で発生した回折光のうち不要な次数の回折光（０次回折光１４ａ等）をカットする機能も有している。すなわち、本実施形態においては、照明光として±１次回折光のみを使用しており、０次回折光及び２次以上の回折光は光束選択部材１８によりカットされるようになっている。したがって、図１において実線で示される０次回折光は、実際には光束選択部材１８より後側では存在しないが、光線の進路を分かりやすくするため、０次回折光についても便宜上図示している。
【００３１】
1/2波長板１７及び光束選択部材１８の回転角度は、次のように制御されるようになっている。すなわち、図３（ａ）に示すように、1/2波長板１７は、その速い軸の方向が偏光板２３の軸の方向と平行になるときの位置が基準位置（以下「第１の基準位置」と称する）とされ、光束選択部材１８は、当該光束選択部材１８の光束選択方向（第１の開口部１９の中心と第２の開口部２０の中心とを結ぶ直線の方向）が、偏光板２３の軸の方向と垂直になるときの位置が基準位置（以下「第２の基準位置」と称する）とされる。
【００３２】
また、図３（ｂ）に示すように、1/2波長板１７は、光束選択部材１８の２分の１の回転速度で同方向に回転するように構成されている。具体的には、1/2波長板１７の速い軸の方向が第１の基準位置から右方（顕微鏡側から見て。以下同じ）に回転角θ／２だけ回転するとき、光束選択部材１８の光束選択方向は第２の基準位置から右方に回転角θだけ回転するように構成されている。なお、このように1/2波長板１７を光束選択部材１８の２分の１の回転速度で回転するようにする機構としては、１つの回転駆動装置２４の回転駆動軸に噛合する1/2波長板１７及び光束選択部材１８の各歯車のギア比を２：１に設定することにより構成することができる。
【００３３】
これにより、図４（ａ）に示すように、三対の±１次回折光のうち第１群の光束に属する一対の±１次回折光１４ｇ，１４ｄを選択するために、光束選択部材１８の光束選択方向を第２の基準位置から右方に回転角θ1だけ回転させた場合、1/2波長板１７の速い軸の方向は、第１の基準位置から右方に回転角θ1／２だけ回転する。このとき、1/2波長板１７を通過する前の各±１次回折光の偏光方向（図中破線の両矢線で示す）は、偏光板２３の軸の方向と平行となっているのに対し、1/2波長板１７を通過した後の各±１次回折光の偏光方向は、右方に回転角θ1だけ回転し（図４（ａ）では光束選択部材１８により選択される一対の±１次回折光１４ｇ，１４ｄの偏光方向のみを実線の両矢線で示す）、光束選択部材１８の光束選択方向（図２（ａ）に示す分割方向Ｖ1と一致する）に対し垂直となる。
【００３４】
同様に、図４（ｂ）に示すように、三対の±１次回折光のうち第２群の光束に属する一対の±１次回折光１４ｃ，１４ｆを選択するために、光束選択部材１８の光束選択方向を第２の基準位置から右方に回転角θ2だけ回転させた場合、1/2波長板１７の速い軸の方向は、第１の基準位置から右方に回転角θ2／２だけ回転する。このとき、1/2波長板１７を通過する前の各±１次回折光の偏光方向（図中破線の両矢線で示す）は、偏光板２３の軸の方向と平行となっているのに対し、1/2波長板１７を通過した後の各±１次回折光の偏光方向は、右方に回転角θ2だけ回転し（図４（ｂ）では光束選択部材１８により選択される一対の±１次回折光１４ｃ，１４ｆの偏光方向のみを実線の両矢線で示す）、光束選択部材１８の光束選択方向（図２（ａ）に示す分割方向Ｖ2と一致する）に対し垂直となる。
【００３５】
また、図４（ｃ）に示すように、三対の±１次回折光のうち第３群の光束に属する一対の±１次回折光１４ｂ，１４ｅを選択するために、光束選択部材１８の光束選択方向を第２の基準位置から左方（顕微鏡側から見て。以下同じ）に回転角θ3だけ回転させた場合、1/2波長板１７の速い軸の方向は、第１の基準位置から左方に回転角θ3／２だけ回転する。このとき、1/2波長板１７を通過する前の各±１次回折光の偏光方向（図中破線の両矢線で示す）は、偏光板２３の軸の方向と平行となっているのに対し、1/2波長板１７を通過した後の各±１次回折光の偏光方向は、左方に回転角θ3だけ回転し（図４（ｃ）では光束選択部材１８により選択される一対の±１次回折光１４ｂ，１４ｅの偏光方向のみを実線の両矢線で示す）、光束選択部材１８の光束選択方向（図２（ａ）に示す分割方向Ｖ3と一致する）に対し垂直となる。
【００３６】
このように、1/2波長板１７を、光束選択部材１８の回転速度の半分の速度で同方向に回転させることにより、光束選択部材１８により選択される一対の±１次回折光を常に、当該選択される一対の±１次回折光の分割方向（回折方向）に対し垂直（光束選択部材１８の回転方向に平行）な電場振動方向を有する偏光状態とすることができるため、光束選択部材１８により選択される全ての±１次回折光を照射面上においてＳ偏光とすることが可能となる。図５は、以上説明した照明光学系１０（特に、回折格子１３、1/2波長板１７及び光束選択部材１８）の機能を簡略的に表している。なお、図５において、○で囲まれた両矢線は光束の偏光方向を示し、□で囲まれた両矢線は光学素子の軸方向を示している。
【００３７】
また、図６に示すように、光束選択部材１８の外周部には、複数（図６に示す例では６個）の切り欠き２１，２１，…が形成されており、タイミングセンサ２２がいずれかの切り欠き２１を検出することにより、光束選択部材１８の回転角度を検出することができるようになっている。
【００３８】
以上説明したように、回折方向及び回折次数を光束選択部材１８によって選択され、偏光状態を1/2波長板１７によって制御された回折光（±１次回折光）は、図１に示すように、レンズ２５によって視野絞り２６付近で回折格子１３と共役な面を形成し、フィールドレンズ２７により平行光に変換され、さらに励起フィルタ２８を経てからダイクロイックミラー７で反射され、対物レンズ６の瞳面６ａ上に再度回折次数毎に集光される。各光束（回折光）が対物レンズから射出される際には、照明光として平行光束となって標本５に照射される。このとき、各光束（回折光）は可干渉光であるため、等間隔の干渉縞の構造をもって標本５を照射する。この、縞構造を持った照明光を構造化照明光と呼び、こうした照明方法を構造化照明法と呼ぶ。
【００３９】
この構造化照明光により標本５を照明すると、照明光の周期構造と標本５の周期構造とが干渉してモアレ干渉縞を生成するが、このモアレ干渉縞は、標本５の高周波の形状情報を含んでいながら元の周波数より低周波であるため、対物レンズ６に入射することができる。
【００４０】
対物レンズ６に入射する、標本５の表面から発生した光（蛍光）は、対物レンズ６で平行光に変換された後、ダイクロイックミラー７とバリアフィルタ３１を透過し、第２対物レンズ３２によって撮像素子３５の撮像面３６上に標本像を結像する。
【００４１】
撮像素子３５は、結像光学系３０により結像された像を撮像し、画像信号を画像記憶・演算装置４０に出力する。撮像素子３５により撮像取得される画像は、前述したように、空間変調された照明光（構造化照明光）で照明された結果の画像であるので、画像記憶・演算装置４０において公知の所定の画像処理より逆変調をかけて復元することで、標本５の超解像画像（標本画像）を生成する。具体的な演算には、例えば、ＵＳ８１１５８０６に開示された方法を用いることができる。そして、画像記憶・演算装置４０により生成された標本５の超解像画像（標本画像）は、内部メモリ（図示せず）に記憶されるとともに、画像表示装置４５に表示される。
【００４２】
画像処理で元画像を復元する際には、同じ標本５に対して、照明による干渉縞の位相を３回以上変調させて撮像を行うとよい。それは、変調画像には標本の周波数成分が構造化照明によって回折された情報のうち０次成分、＋１次成分、−１次成分の３つの未知のパラメータがあり、演算処理で未知数を求めるためには、未知数の数以上の情報が必要になるからである。
【００４３】
照明光による干渉縞の位相を変調するために、本実施形態では、図７（ａ）に示すように、並進駆動装置１５を用いて回折格子１３を照明光学系１０の光軸と垂直な方向（図中ｘ方向）に駆動させる。その際、光束選択部材１８により選択される回折光の方向により回折格子１３の駆動量が異なる。具体的には、図７（ｂ）に示すように、回折格子１３の周期（ピッチ）をＰとし、回折格子１３の波数ベクトルの向き（図中１点鎖線で示す３方向）と並進駆動装置１５による回折格子１３の駆動方向とのなす角をθ（図７（ｂ）中のθ1〜θ3（図４のθ1〜θ3と対応している））としたとき、構造化照明（照明光による干渉縞）の位相変調量が所望の値φとなるようにするために回折格子１３を駆動する距離Ｌは、次の（１）式で表される。
【００４４】
Ｌ＝φ×Ｐ／（４π×｜ｃｏｓθ｜）  …（１）
なお、φ＝２πとするためには、Ｌ＝Ｐ／（２×｜ｃｏｓθ｜）となり、回折格子１３の半周期のみを使っているように思えるが、これは、本実施形態での構造化照明が±１次回折光の干渉を利用しているためである。
【００４５】
また、本実施形態においては、２次元の超解像画像のデータを取得するため、上述したように回折格子１３により互いに１２０度だけ傾きが異なる３方向に±１次回折光を発生させ、光束選択部材１８を回転させることにより３方向の±１次回折光の中から１方向ずつ選択して３方向の±１次回折光について画像を取得している。このとき、位相変調した各画像の取得は、次のような順序で行うことができる。なお、以下の説明では、照明光（干渉縞）の位相変調を、各方向の照明光（±１次回折光）について３回ずつ行うことを想定している。
【００４６】
すなわち、まず、図４（ａ）に示すように、光束選択部材１８の光束選択方向を第２の基準位置から右方に回転角θ1だけ回転した位置に停止させ、一対の±１次回折光１４ｇ，１４ｄを照明光として選択する。このとき、1/2波長板１７の速い軸は、第１の基準位置から右方に回転角θ1／２だけ回転した位置に停止する。また、その間に並進駆動装置１５により回折格子１３を、±１次回折光１４ｇ，１４ｄの回折方向（図２（ａ）に示す分割方向Ｖ1に相当する）に対応した方向（図７（ｂ）中の角θ1の方向）に断続的または連続的に移動させて、その方向の第１の移動位置において第１の位相画像を取得し、続いて第２の移動位置において第２の位相画像を取得し、さらに第３の移動位置において第３の位相画像を取得する。
【００４７】
次に、図４（ｂ）に示すように、光束選択部材１８の光束選択方向を第２の基準位置から右方に回転角θ2だけ回転した位置に停止させ、一対の±１次回折光１４ｃ，１４ｆを照明光として選択する。このとき、1/2波長板１７の速い軸は、第１の基準位置から右方に回転角θ2／２だけ回転した位置に停止する。また、その間に並進駆動装置１５により回折格子１３を、±１次回折光１４ｃ，１４ｆの回折方向（図２（ａ）に示す分割方向Ｖ2に相当する）に対応した方向（図７（ｂ）中の角θ2の方向）に断続的または連続的に移動させて、その方向の第１の移動位置において第１の位相画像を取得し、続いて第２の移動位置において第２の位相画像を取得し、さらに第３の移動位置において第３の位相画像を取得する。
【００４８】
さらに、図４（ｃ）に示すように、光束選択部材１８の光束選択方向を第２の基準位置から左方に回転角θ3だけ回転した位置に停止させ、一対の±１次回折光１４ｂ，１４ｅを照明光として選択する。このとき、1/2波長板１７の速い軸は、第１の基準位置から左方に回転角θ3／２だけ回転した位置に停止する。また、その間に並進駆動装置１５により回折格子１３を、±１次回折光１４ｂ，１４ｅの回折方向（図２（ａ）に示す分割方向Ｖ3に相当する）に対応した方向（図７（ｂ）中の角θ3の方向）に断続的または連続的に移動させて、その方向の第１の移動位置において第１の位相画像を取得し、続いて第２の移動位置において第２の位相画像を取得し、さらに第３の移動位置において第３の位相画像を取得する。
【００４９】
なお、本実施形態では、1/2波長板１７を光束選択部材１８の回転速度の半分の速度で同方向に回転させるようにし、これにより、光束選択部材１８により選択される照明光（一対の±１次回折光）が標本５にＳ偏光として入射するようにしているが、このような態様に限定されるものではなく、結果として、光束選択部材１８により選択される照明光がＳ偏光となるものであれば、1/2波長板１７及び光束選択部材１８の回転の態様は、各々を逆の向きに回転させるなど任意に設定することができる。具体的には、図４（ａ）に示す態様を例にとれば、光束選択部材１８の光束選択方向が第２の基準位置から右方に回転角θ1だけ回転した位置にあり、一対の±１次回折光１４ｇ，１４ｄが照明光として選択されている場合、この一対の±１次回折光１４ｇ，１４ｄが標本５にＳ偏光として照射されるような偏光状態にするための1/2波長板１７の速い軸の位置としては、第１の基準位置から右方に回転角θ1／２だけ回転した位置だけに限らない。
【００５０】
すなわち、この位置から±９０度だけ回転した位置（第１の基準位置から右方にθ1／２＋９０度だけ回転した位置と、結果的には同じことだが、第１の基準位置から左方に９０度−θ1／２だけ回転した位置）も同様の偏光状態を与える位置となる。したがって、光束選択部材１８の光束選択方向を第２の基準位置から右方に回転角θ1だけ回転させる場合に、例えば、1/2波長板１７の速い軸を、第１の基準位置から左方に９０度−θ1／２だけ回転させた場合でも同様の作用効果が得られることになるので、そのような態様としても構わないということである。また、上述した第１の基準位置及び第２の基準位置は、図４に示す位置に限られるものではなく、任意の位置に適宜設定することができる。
【００５１】
〈第２実施形態〉
本発明の第２実施形態に係る構造化照明顕微鏡装置は、図１に示す第１実施形態に係る構造化照明顕微鏡装置１において、光束選択部材１８を、図８に示す光束選択部材１８Ａに替えたものに相当し、他の構成は第１実施形態のものと変わらない。また、機能面についても、光束選択部材１８Ａを用いたことにより生じる違いの部分を除き、第１実施形態のものと同様である。このため、第２実施形態の説明においては、第１実施形態の説明に用いた図１等を適宜参照するとともに、第１実施形態と共通する事項については、説明を省略する。
【００５２】
図８に示す光束選択部材１８Ａは、図６に示す第１実施形態の光束選択部材１８との比較において、中心部に第３の開口部２９を備えている点のみが異なり、その他の構成は、光束選択部材１８と同じである。このため、図８に示す光束選択部材１８Ａにおいて、図６に示す光束選択部材１８と同様の構成要素に対しては、図６で用いたものと同一の符号を付し、その詳細な説明は省略する。
【００５３】
図８に示す光束選択部材１８Ａが有する第３の開口部２９は、図６に示す光束選択部材１８においてはカットされていた０次回折光１４ａ（図２（ｂ）参照）を通過させるように構成されている。すなわち、第２実施形態の構造化照明顕微鏡装置は、光束選択部材１８Ａを用いることにより、第３の開口部２９を通過する０次回折光１４ａを、第１の開口部１９及び第２の開口部２０を通過する一対の±１次回折光（図２（ｂ）に示す１４ｇと１４ｄ、１４ｃと１４ｆ、１４ｂと１４のうちのいずれか一対）とともに、照明光として利用するようになっており、この点が第１の実施形態のものとの主な相違点となっている。
【００５４】
具体的には、図９に示すように、例えば、０次回折光１４ａ及び一対の±１次回折光１４ｇ，１４ｄ（第１群の光束）を照明光として選択する場合には、光束選択部材１８Ａの光束選択方向を第２の基準位置から右方に回転角θ1だけ回転した位置に停止させる。このとき、1/2波長板１７の速い軸（図５参照）は、第１の基準位置から右方に回転角θ1／２だけ回転した位置に停止する。
【００５５】
この状態において、０次回折光１４ａ及び一対の±１次回折光１４ｇ，１４ｄが照明光として光束選択部材１８Ａにより選択され、かつ、選択されたこれらの回折光１４ａ，１４ｇ，１４ｄは、1/2波長板１７により、標本５（図１参照）に照射される際にＳ偏光となるような偏光状態とされる。０次回折光１４ａ及び一対の±１次回折光１４ｃ，１４ｆ（第２群の光束）を照明光として選択する場合は、図４（ｂ）に示す光束選択部材１８の状態に光束選択部材１８Ａを設置し、０次回折光１４ａ及び一対の±１次回折光１４ｂ，１４ｅ（第３群の光束）を照明光として選択する場合は、図４（ｃ）に示す光束選択部材１８の状態に光束選択部材１８Ａを設置すればよい。
【００５６】
なお、第１実施形態と同様に、各群の光束を照明光として選択した際、回折格子１３を移動させて照明光の位相を変調させ、位相変調させる毎に標本５の画像を取得する。位相変調する回数については、第１実施形態と同様に３回とすることも可能であるが、変更することも可能である。例えば、選択する３つの位置毎に５回の位相変調を行うことにより、３方向５位相ずつ計１５枚の画像を取得するようにしてもよい。
【００５７】
〈第３実施形態〉
図１０に示すように、第３実施形態に係る構造化照明顕微鏡装置５１は、上記第１及び第２実施形態のものと同様の用途に利用されるものであり、対物レンズ５６及びダイクロイックミラー５７と、これら対物レンズ５６及びダイクロイックミラー５７を含む照明光学系６０（本実施形態における構造化照明光学系）と、同じく対物レンズ５６及びダイクロイックミラー５７を含む結像光学系８０と、ＣＣＤやＣＭＯＳ等からなる撮像素子８５と、画像記憶・演算装置９０と、画像表示装置９５とを主体に構成される。
【００５８】
上記照明光学系６０は、光源側から順に、光ファイバ６１と、コレクタレンズ６２と、1/2波長板６３と、回折格子６４と、集光レンズ６６と、遮光板６７と、位相板６８と、レンズ７５と、視野絞り７６と、フィールドレンズ７７と、励起フィルタ７８と、ダイクロイックミラー５７と、対物レンズ５６とを有して構成される。また、上記結像光学系８０は、物体（標本５５）側から順に、対物レンズ５６と、ダイクロイックミラー５７と、バリアフィルタ８１と、第２対物レンズ８２とを有して構成される。また、画像記憶・演算装置９０は、後述する回転駆動装置７２，７３と電気的に接続されており、回転駆動装置７２，７３の作動を制御するとともに、本実施形態において画像処理部を構成する。
【００５９】
図示しない光源からの光は、光ファイバ６１によって導かれ、光ファイバ６１から射出された光はコレクタレンズ６２によって平行光に変換される。照明光として可干渉光であることが必要なため、光源としては例えばレーザー光が用いられる。レーザー光が用いられる場合、光ファイバ６１としては、例えば、偏波面保存のシングルモードファイバが用いられる。
【００６０】
本実施形態では、コレクタレンズ６２と1/2波長板６３との間に、偏光板７１が配置される。光源としてレーザー光が用いられる場合、光ファイバ６１の出射端での偏光状態は略直線偏光であるが、他の偏光成分を除去するために偏光板７１に通すことが望ましい。偏光板７１の軸は、光ファイバ６１からの射出光が偏光している場合はその偏光面（電場の振動軸の方向）に合わせておくが、非偏光の場合は任意の方向にしておく。
【００６１】
上記1/2波長板６３は、偏光板７１を介してコレクタレンズ６２から入射する平行光（可干渉光）の偏光方向を所定の方向の直線偏光に変換する。この1/2波長板６３の速い軸（進相軸）の向きは、この1/2波長板６３を通過した後、回折格子６４により分割される複数の光束（次述する０次回折光６５ａ及び±１次回折光６５ｂ，６５ｃ（図１１（ｂ）参照）が標本５５に照射される際にＳ偏光となるような向き、具体的には、次述する回折格子６４の光束分割方向Ｗ（図１１（ａ）に１点鎖線で示す）に対して垂直となる向き（回折格子６４の格子線（刻線）と平行になる向き）に設定される。
【００６２】
上記回折格子６４は、本実施形態における光束分割手段を構成するものであり、図１１（ａ）に示すように、照明光学系１０の光軸と垂直な方向に１次元の周期構造を有している。この周期構造は、濃度（透過率）を利用して形成された周期構造、または段差（位相差）を利用して形成された周期構造とすることができるが、位相差型の周期構造の方が、±１次光の回折効率が高いという点で好ましい。
【００６３】
この回折格子６４は、1/2波長板６３から入射する直線偏光を、当該回折格子６４の光束分割方向Ｗ（１１（ａ）参照）に沿って複数の光束に分割し、光軸を中心に進行方向（回折方向）が対称となる複数の回折光（例えば、図１１（ｂ）に示す０次回折光６５ａ及び±１次回折光６５ｂ，６５ｃ）を発生させる。なお、光束分割方向Ｗは、回折格子６４の波数ベクトルの方向（回折格子１３の格子線（刻線）に対し垂直な方向）に一致する。
【００６４】
回折格子６４で発生した複数の回折光はそれぞれ、図１０に示す集光レンズ６６により、瞳共役面内において各回折光の回折方向及び回折次数に応じた位置に集光される。例えば、図１１（ｂ）に示すように、瞳共役面の中心（光軸の位置）に０次回折光６５ａが集光され、０次回折光６５ａ（光軸の位置）を中心とした対称の位置に、一対の±１次回折光６５ｂ，６５ｃが集光される。
【００６５】
また、図１０に示すように回折格子６４は、電気モータ等からなる回転駆動装置７２によって、回折格子６４の近傍に配置された1/2波長板６３とともに回折格子６４の中心（照明光学系６０の光軸）を回転軸として回転可能に構成されている。1/2波長板６３及び回折格子６４を回転させることによって、所望の回折方向および回折次数を有する回折光（±１次回折光）を照明光として利用することができ、結果的に構造化照明方向を選択することが可能となっている。
【００６６】
1/2波長板６３及び回折格子６４の回転角度は、次のように制御されるようになっている。すなわち、図１２（ａ）に示すように、1/2波長板６３は、その速い軸の方向が偏光板７１の軸の方向と平行になるときの位置が基準位置（以下「第３の基準位置」と称する）とされ、回折格子６４は、当該回折格子６４の光束分割方向が偏光板７１の軸の方向と垂直になるときの位置が基準位置（以下「第４の基準位置」と称する）とされる。
【００６７】
また、図１２（ｂ）に示すように、1/2波長板６３は、回折格子６４の２分の１の回転速度で同方向に回転するように構成されている。具体的には、1/2波長板６３の速い軸の方向が第３の基準位置から右方（顕微鏡側から見て。以下同じ）に回転角α／２だけ回転するとき、回折格子６４の光束分割方向は第４の基準位置から右方に回転角αだけ回転するように構成されている。なお、このように1/2波長板１７を回折格子６４の２分の１の回転速度で回転するようにする機構としては、１つの回転駆動装置７２の回転駆動軸に噛合する1/2波長板６３及び回折格子６４の各歯車のギア比を２：１に設定することにより構成することができる。
【００６８】
このように、1/2波長板６３を、回折格子６４の回転速度の半分の速度で同方向に回転させることにより、回折格子６４により分割される回折光を常に、当該回折格子６４の光束分割方向（回折方向）に対し垂直（回折格子６４の回転方向に平行）な電場振動方向を有する偏光状態とすることができるため、回折格子６４を通過する全ての回折光を照射面上においてＳ偏光とすることが可能となる。図１３は、以上説明した照明光学系６０（特に、1/2波長板１７及び回折格子６４）の機能を簡略的に表している。なお、図１３において、○で囲まれた両矢線は光束の偏光方向を示し、□で囲まれた両矢線は光学素子の軸方向を示している。
【００６９】
以上説明したように、偏光状態を1/2波長板６３によって制御され、回折方向及び回折次数を回折格子６４によって制御された回折光は、図１０に示すように、レンズ６６によって遮光板６７付近で回折格子６４と共役な面を形成し、遮光板６７により０次回折光及び２次以上の回折光をカットされ、±１次回折光のみが位相板６８に入射する。このように本実施形態においては、照明光として±１次回折光のみを使用しているため、図１０において実線で示される０次回折光は、実際には遮光板６７より後側では存在しないが便宜上図示している点は、第１実施形態の場合と同様である。なお、第２実施形態と同様に、０次回折光を照明光として利用することも可能である。
【００７０】
位相板６８は、入射する光束（±１次回折光）の一方あるいは両方に適当な位相の遅れが生じるような透明基板の厚みとなっているか、または膜厚を制御した薄膜を蒸着してある。これにより、＋１次回折光と−１次回折光の間に位相差が発生する。また、回転駆動装置７３により光軸を中心に回転され、±１次回折光が位相板６８を通過する位置が変更されることによって位相差を変調し得るようになっている。
【００７１】
位相板６８により位相変調された光束（±１次回折光）は、レンズ７５によって視野絞り７６付近で回折格子６４と共役な面を形成し、フィールドレンズ７７により平行光に変換され、さらに励起フィルタ７８を経てからダイクロイックミラー５７で反射され、対物レンズ５６の瞳面５６ａ上に再度回折次数毎に集光される。各光束（回折光）が対物レンズから射出される際には、照明光として平行光束となって標本５５に照射される。このとき、各光束（回折光）は可干渉光であるため、等間隔の干渉縞の構造をもった構造化照明光として標本５５を照射する。
【００７２】
この構造化照明光により標本５５を照明すると、照明光の周期構造と標本５５の周期構造とが干渉してモアレ干渉縞を生成するが、このモアレ干渉縞は、標本５５の高周波の形状情報を含んでいながら元の周波数より低周波であるため、対物レンズ５６に入射することができる。
【００７３】
対物レンズ５６に入射する、標本５５の表面から発生した光（蛍光）は、対物レンズ５６で平行光に変換された後、ダイクロイックミラー５７とバリアフィルタ８１を透過し、第２対物レンズ８２によって撮像素子８５の撮像面８６上に標本像を結像する。
【００７４】
撮像素子８５は、結像光学系８０により結像された像を撮像し、画像信号を画像記憶・演算装置９０に出力する。撮像素子８５により撮像取得される画像は、前述したように、空間変調された照明光（構造化照明光）で照明された結果の画像であるので、画像記憶・演算装置９０において公知の所定の画像処理より逆変調をかけて復元することで、標本５５の超解像画像（標本画像）を生成する。そして、画像記憶・演算装置９０により生成された標本５５の超解像画像（標本画像）は、内部メモリ（図示せず）に記憶されるとともに、画像表示装置９５に表示される。
【００７５】
画像処理で元画像を復元する際には、第１実施形態の説明で述べたのと同じ理由より、同じ標本５５に対して照明による干渉縞の位相を３回以上変調させて撮像を行うとよい。照明光による干渉縞の位相を変調するために、本実施形態では、上述したように、回転駆動装置７３により位相板６８を回転させるように構成されているが、回折格子６４をその光束分割方向（回折の生じる方向）に並進駆動して位相変調を行ってもよい。その場合、位相板６８は不要である。
【００７６】
本実施形態においては、回折格子６４が回転するようになっているので、２次元の超解像画像のデータを取得するために、構造化照明光（±１次回折光）を、対物レンズ５６の光軸周りの任意の方向から標本５５に照射することができるが、具体的な態様としては、例えば、回折格子６４をその光束分割方向が１２０度ずつ変化するように回転させることにより、互いに１２０度だけ傾きが異なる３方向から、構造化照明光を照射することが可能となる。この場合、例えば、回折格子６４の回転位置毎に、構造化照明光の位相変調を４回ずつ行うようにすることにより、３方向４位相ずつ計１２枚の画像を取得することが可能となる。
【００７７】
なお、本実施形態では、1/2波長板６３を回折格子６４の回転速度の半分の速度で同方向に回転させるようにし、これにより、回折格子６４により生成される照明光（一対の±１次回折光）が標本５５にＳ偏光として入射するようにしているが、このような態様に限定されるものではなく、結果として、回折格子６４により生成される照明光がＳ偏光となるものであれば、1/2波長板６３及び回折格子６４の回転の態様は、各々を逆の向きに回転させるなど任意に設定することができる。
【００７８】
具体的には、図１２（ｂ）に示す態様を例にとれば、回折格子６４の光束分割方向が第４の基準位置から右方に回転角αだけ回転した位置にある場合、回折格子６４により生成される一対の±１次回折光が標本５５にＳ偏光として照射されるような偏光状態にするための1/2波長板６３の速い軸の位置としては、第３の基準位置から右方に回転角α／２だけ回転した位置だけに限らない。
【００７９】
すなわち、この位置から±９０度だけ回転した位置（第３の基準位置から右方にα／２＋９０度だけ回転した位置と、結果的には同じことだが、第３の基準位置から左方に９０度−α／２だけ回転した位置）も同様の偏光状態を与える位置となる。したがって、回折格子６４の光束分割方向を第４の基準位置から右方に回転角αだけ回転させる場合に、例えば、1/2波長板６３の速い軸を、第３の基準位置から左方に９０度−α／２だけ回転させた場合でも同様の作用効果が得られることになるので、そのような態様としても構わないということである。また、上述した第３の基準位置及び第４の基準位置は、図１２に示す位置に限られるものではなく、任意の位置に適宜設定することができる。
【００８０】
〈第４実施形態〉
上述した第１実施形態では、1/2波長板１７の進相軸の向きを、1/2波長板１７の光軸中心に回転可能な構成で実現する例を開示したが、図１の1/2波長板１７に代えて、図１４（ａ）に示すような、少なくとも２つの液晶素子（光源側から第１の液晶素子１０１、第２の液晶素子１０２）を配置し、以下のような制御により、1/2波長板として機能させて、進相軸の向きを設定するようにしてもよい。
【００８１】
まず、偏光板２３の軸方向は、回折格子１３に対する入射光束の偏光方向が、図２（ａ）の回折格子１３の分割方向Ｖ１用の格子線（刻線）の方向と同じになるように設定されている。次に、第１の液晶素子１０１は、液晶の配向を電気的に制御することにより、屈折率異方性を制御できる素子であるので、駆動回路１０１Ａによってオンされたときには、入射光束に対して1/2波長板として作用し、駆動回路１０１Ａによってオフされたときには、入射光束に対して平行平板（屈折率異方性０、屈折率が等方的）として作用する。そして、オンされた状態における第１の液晶素子１０１の進相軸の方向は、偏光板２３の軸方向に対して、時計回りを＋とすると、−３０°だけ回転した方向に設定されている。
【００８２】
次に、第２の液晶素子１０２の構造も、第１の液晶素子１０１の構造と同様であり、駆動回路１０２Ａによってオンされたときには、入射光に対して1/2波長板として作用し、駆動回路１０２Ａによってオフされたときには、入射光に対して平行平板として作用する。但し、オンされた状態における第２の液晶素子１０２の進相軸の方向は、第１の液晶素子１０１の進相軸の方向とは相違しており、偏光板２３の軸方向に対して＋３０°だけ回転した方向に設定されている。
【００８３】
図１４（ｂ）に示す、０°の方向Ｖ１に分岐した±１次回折光束（０°の方向Ｖ１に配列された１対の集光点１４ｇ、１４ｄ）、１２０°の方向Ｖ２に分岐した±１次回折光束（１２０°の方向Ｖ2に配列された１対の集光点１４ｃ、１４ｆ）、２４０°の方向Ｖ３に分岐した±１次回折光束（２４０°の方向Ｖ３に配列された１対の集光点１４ｂ、１４ｅ）が、それぞれ標本５に照射される際にＳ偏光になるようにするには、1/2波長板（第１の液晶素子１０１、又は第２の液晶素子１０２）を通過後の光の偏光方向は、図１４（ｂ）に示す矢印の方向になっている必要がある。
【００８４】
そのため、1/2波長板（第１の液晶素子１０１）の進相軸の方向は、１２０°の方向Ｖ２に分岐した±１次回折光束の場合には、1/2波長板を通過後の光の偏光方向（図２（ａ）の分割方向Ｖ１用の格子線に対して−６０°）と1/2波長板を通過前（図２（ａ）の分割方向Ｖ１用の格子線と同じ方向）の偏光方向とのなす角の１／２である、偏光板２３の軸方向に対して−３０°だけ回転した方向（図２（ａ）の分割方向Ｖ１用の格子線に対して−３０°）に設定する必要がある。
【００８５】
また、1/2波長板（第２の液晶素子１０２）の進相軸の方向は、２４０°の方向Ｖ３に分岐した±１次回折光束の場合、1/2波長板を通過後の光の偏光方向（図２（ａ）の分割方向Ｖ１用の格子線に対して＋６０°）と1/2波長板を通過前の偏光方向（図２（ａ）の分割方向Ｖ１用の格子線と同じ方向）とのなす角の１／２である、偏光板２３の軸方向に対して＋３０°だけ回転した方向（図２（ａ）の分割方向Ｖ１用の格子線に対して＋３０°）に設定する必要がある。
【００８６】
よって、第１の液晶素子１０１、第２の液晶素子１０２を通過した光束の偏光方向は、第１の液晶素子１０１、第２の液晶素子１０２の双方がオフされた状態では、図２（ａ）の分割方向Ｖ１用の格子線と同じ方向となり、液晶素子１０１のみがオンされた状態では、図２（ａ）の分割方向Ｖ２用の格子線と同じ方向となり、液晶素子１０２のみがオンされた状態では、図２（ａ）の分割方向Ｖ３用の格子線と同じ方向となる。
【００８７】
さらに、図４（ａ）に示すように、三対の±１次回折光のうち第１群の光束に属する一対の±１次回折光１４ｇ，１４ｄを選択する場合、1/2波長板１７の進相軸の方向は、1/2波長板１７を通過後の光の偏光方向（偏光板２３の軸に対して＋θ1）と1/2波長板１７を通過前（偏光板１２の軸方向）の偏光方向とのなす角の１／２である、偏光板２３の軸に対して＋θ1／２だけ回転した方向に設定する必要がある。
【００８８】
このとき、1/2波長板１７を通過する前の各±１次回折光の偏光方向（図中破線の両矢線で示す）は、偏光板２３の軸の方向と平行となっているのに対し、1/2波長板１７を通過した後の各±１次回折光の偏光方向は、右方に回転角θ1だけ回転し（図４（ａ）では光束選択部材１８により選択される一対の±１次回折光１４ｇ，１４ｄの偏光方向のみを実線の両矢線で示す）、光束選択部材１８の光束選択方向（図２（ａ）に示す分割方向Ｖ1と一致する）に対し垂直となる。
【００８９】
同様に、図４（ｂ）に示すように、三対の±１次回折光のうち第２群の光束に属する一対の±１次回折光１４ｃ，１４ｆを選択する場合、1/2波長板１７の進相軸の方向は、1/2波長板１７を通過後の光の偏光方向（偏光板２３の軸に対して＋θ2）と1/2波長板１７を通過前（偏光板２３の軸方向）の偏光方向とのなす角の１／２である、偏光板２３の軸に対して＋θ２／２だけ回転した方向に設定する必要がある。
【００９０】
このとき、1/2波長板１７を通過する前の各±１次回折光の偏光方向（図中破線の両矢線で示す）は、偏光板２３の軸の方向と平行となっているのに対し、1/2波長板１７を通過した後の各±１次回折光の偏光方向は、右方に回転角θ2だけ回転し（図４（ｂ）では光束選択部材１８により選択される一対の±１次回折光１４ｃ，１４ｆの偏光方向のみを実線の両矢線で示す）、光束選択部材１８の光束選択方向（図２（ａ）に示す分割方向Ｖ2と一致する）に対し垂直となる。
【００９１】
また、図４（ｃ）に示すように、三対の±１次回折光のうち第３群の光束に属する一対の±１次回折光１４ｂ，１４ｅを選択する場合、1/2波長板１７の進相軸の方向は、1/2波長板１７を通過後の光の偏光方向（偏光板２３の軸に対して−θ３）と1/2波長板１７を通過前（偏光板２３の軸方向）の偏光方向とのなす角の１／２である、偏光板２３の軸に対して−θ３／２だけ回転した方向に設定する必要がある。
【００９２】
このとき、1/2波長板１７を通過する前の各±１次回折光の偏光方向（図中破線の両矢線で示す）は、偏光板２３の軸の方向と平行となっているのに対し、1/2波長板１７を通過した後の各±１次回折光の偏光方向は、左方に回転角θ3だけ回転し（図４（ｃ）では光束選択部材１８により選択される一対の±１次回折光１４ｂ，１４ｅの偏光方向のみを実線の両矢線で示す）、光束選択部材１８の光束選択方向（図２（ａ）に示す分割方向Ｖ3と一致する）に対し垂直となる。
【００９３】
図１０の1/2波長板６３に代えて、図１４（ａ）に示すような、少なくとも２つの液晶素子（光源側から第１の液晶素子１０１、第２の液晶素子１０２）を配置し、上記のような制御により、1/2波長板として機能させて、進相軸の向きを設定するようにしてもよい。
【００９４】
以上説明したように、本発明の第１乃至第４実施形態に係る構造化照明顕微鏡装置によれば、光源からの光の多くをＳ偏光の構造化照明光として使用することができるので、光の利用効率を高めることが可能となる。
【００９５】
第１乃至第４実施形態において、1/2波長板１７の進相軸の方向は、1/2波長板１７を通過後の光の偏光方向と1/2波長板１７を通過前（偏光板２３の軸方向）の偏光方向とのなす角を鋭角と仮定して説明しているが、鈍角であってもよい（位相がπ異なるだけのＳ偏光になる）。
【００９６】
なお、上述の説明においては、光束選択部材１８，１８Ａの光束選択方向に対する1/2波長板１７の回転角度、及び回折格子６４の光束分割方向に対する1/2波長板６３の回転角度を正確に規定しているが、±５〜６度程度の誤差は許容される。
【００９７】
また、1/2波長板１７及び1/2波長板６３は、光源の波長が変化すると位相差が本来の1/2波長板からずれた波長特性を持つようになるため、光源の波長に応じたものを利用することが望ましいが、広い波長に対して1/2波長に対する位相変化量が小さな広帯域波長板を利用してもよい。その場合でも、常光線と異常光線の位相差が±５度以内となるようにすることが好ましい。それは、常光線と異常光線の位相差を±５度以内とすることにより、直線偏光を取り出した際の光強度変化を１％以内に抑えることが可能となるからである。
【００９８】
また、上述の第１及び第２実施形態では、位相変調された複数の画像を撮像する際に光束選択部材１８，１８Ａ及び1/2波長板１７の回転を停止しているが、光束選択部材１８，１８Ａ及び1/2波長板１７を連続的に回転させながら位相変調を行い、その都度画像を撮像するようにしてもよい。
【００９９】
また、上述の第１及び第２実施形態では、回折格子１３により３方向に分割された光束（回折光）のうち、光束選択部材１８，１８Ａが一時に選択し得るのは、１方向の光束のみとされているが、一時に互いに異なる複数方向の光束を選択し得るように構成してもよい。この場合、構造化照明光は、互いに異なる複数方向の縞が重畳されたものとなる。
【０１００】
なお、本発明において用いた1/2波長板の機能（任意の方向の直線偏光を生成する）を２つの1/4波長板を用いて達成することも可能であるが、１つの1/2波長板を用いる本発明は、２つの1/4波長板を用いた場合に比べて、部品数の削減によるコスト低減を図れるということ以外にも、次のような利点を有している。
【０１０１】
すなわち、２つの1/4波長板を用いる場合よりも、１つの1/2波長板を用いる場合の方が、光路上の光学素子の反射面が減少するので、不要な反射光の影響を低減することができる。また、２つの1/4波長板を用いる場合よりも、１つの1/2波長板を用いる場合の方が、各々の波長板が有する波長特性の誤差の影響を低減することができるので、特に、広帯域の光を用いる場合に有利となる。
【０１０２】
また、上述の各実施形態では、光分割手段として回折格子を用いているが、光の可干渉性を阻害するものでなければ、プリズム、回転又は直線移動可能に構成され、周期的なパターン（繰り返し周期の方向が互いに異なる複数の周期的パターン）が形成されたマスク等の他の光学素子を光分割手段として使用することができる。
【０１０３】
その場合、1/2波長板の進相軸は、マスクの回転、直線移動に伴って、回転、直線移動する繰り返し周期に直交する方向に依存して決まる、1/2波長板から出射する光束の偏光方向に応じて、1/2波長板に入射する光束の偏光方向と1/2波長板から出射する光束の偏光方向とのなす角の１／２の位置が維持されるように制御（回転）される。
【０１０４】
また、上述の第１、第２及び第４実施形態では、光束選択部材１８，１８Ａの前側（光源側）に1/2波長板１７が配置されているが、光束選択部材１８，１８Ａの後側（顕微鏡側）に1/2波長板１７を配置してもよい。同様に、上述の第３実施形態では、回折格子６４の前側（光源側）に1/2波長板６３が配置されているが、回折格子６４の後側（顕微鏡側）に1/2波長板６３を配置してもよい。
【０１０５】
また、本発明は、蛍光観察装置に適用が限定されるものではなく、構造化照明を行う種々の観察装置（顕微鏡）に対して適用することが可能である。
【０１０６】
なお、本明細書において開示した以下の全ての文献について参照引用する（incorporated by reference)。
１）米国特許発明第６２３９９０９号公報
２）米国再発行特許発明第３８３０７号明細書
３）ＵＳ８１１５８０６
【符号の説明】
【０１０７】
１，５１      構造化照明顕微鏡装置
５，５５      標本
６，５６      対物レンズ
１０，６０      照明光学系
１１，６１      光ファイバ
１３，６４      回折格子
１７，６３      1/2波長板
１８，１８Ａ      光束選択部材
３５，８５      撮像素子
４０，９０      画像記憶・演算装置
１０１      第1の液晶素子
１０２      第２の液晶素子
Ｖ1，Ｖ2，Ｖ3，Ｗ      （光束の）分割方向
【図１】
2013001805.tif 000003
【図２】
2013001805.tif 000004
【図３】
2013001805.tif 000005
【図４】
2013001805.tif 000006
【図５】
2013001805.tif 000007
【図６】
2013001805.tif 000008
【図７】
2013001805.tif 000009
【図８】
2013001805.tif 000010
【図９】
2013001805.tif 000011
【図１０】
2013001805.tif 000012
【図１１】
2013001805.tif 000013
【図１２】
2013001805.tif 000014
【図１３】
2013001805.tif 000015
【図１４】
2013001805.tif 000016
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
標本の共役位置近傍に配置され、光源からの光束を所定の軸の周りで分割方向が異なる複数群の光束に分割する光束分割手段と、
前記複数群の光束から、少なくとも１群の光束を選択する光束選択部材とを有し、
前記少なくとも１群の光束に含まれる複数の光束による干渉縞を前記標本に形成する構造化照明光学系であって、
さらに、1/2波長板を含み、
前記1/2波長板の進相軸は、前記光束選択部材により選択される前記１群の光束に依存して決まる、前記1/2波長板から出射させるべき光束の偏光方向に応じて、前記1/2波長板に入射する光束の偏光方向と前記1/2波長板から出射させるべき光束の偏光方向とのなす角の１／２の位置に設定されることを特徴とする構造化照明光学系。
【請求項２】
前記1/2波長板から出射させるべき光束の偏光方向は、前記光束選択部材により選択される前記１群の光束の前記光束分割手段による分割方向に対して垂直であることを特徴とする請求項１に記載の構造化照明光学系。
【請求項３】
前記1/2波長板及び前記光束選択部材は、前記構造化照明光学系の光軸に対して回転可能に構成され、前記光軸に対する各々の回転角度が設定されることを特徴とする請求項１または２に記載の構造化照明光学系。
【請求項４】
前記1/2波長板の回転角度は、前記光束選択部材の回転角度の２分の１であることを特徴とする請求項３に記載の構造化照明光学系。
【請求項５】
前記1/2波長板は前記光束選択部材の２分の１の回転速度で同方向に回転するように構成されたことを特徴とする請求項３または４に記載の構造化照明光学系。
【請求項６】
前記1/2波長板は、液晶素子からなり、該液晶素子を駆動制御することにより、前記進相軸を設定することを特徴とする請求項１または２に記載の構造化照明光学系。
【請求項７】
前記1/2波長板は、前記光束選択部材の近傍に配置されることを特徴とする請求項１〜６のいずれか一項に記載の構造化照明光学系。
【請求項８】
標本の共役位置近傍に配置され、光源からの光束を複数の光束に分割する光束分割手段と、
前記複数の光束の分割方向を制御する制御手段とを有し、
前記複数の光束による干渉縞を前記標本に形成する構造化照明光学系であって、
さらに1/2波長板を含み、
前記1/2波長板の進相軸は、前記複数の光束の分割方向に依存して決まる、前記1/2波長板から出射させるべき光束の偏光方向に応じて、前記1/2波長板に入射する光束の偏光方向と、前記1/2波長板から出射させるべき光束の偏光方向とのなす角の１／２の位置に設定されることを特徴とする構造化照明光学系。
【請求項９】
前記1/2波長板から出射させるべき光束の偏光方向は、前記複数の光束の分割方向に対して垂直であることを特徴とする請求項８に記載の構造化照明光学系。
【請求項１０】
前記1/2波長板及び前記光束分割手段は、前記制御手段により前記構造化照明光学系の光軸に対して回転制御され、前記光軸に対する各々の回転角度が設定されることを特徴とする請求項８または９に記載の構造化照明光学系。
【請求項１１】
前記1/2波長板の回転角度は、前記光束分割手段の回転角度の２分の１であることを特徴とする請求項１０に記載の構造化照明光学系。
【請求項１２】
前記1/2波長板は前記光束分割手段の２分の１の回転速度で同方向に回転するように構成されたことを特徴とする請求項１０または１１に記載の構造化照明光学系。
【請求項１３】
前記1/2波長板は、液晶素子からなり、該液晶素子を駆動制御することにとより、前記進相軸を設定することを特徴とする請求項８または９に記載の構造化照明光学系。
【請求項１４】
前記1/2波長板は、前記光束分割手段の近傍に配置されることを特徴とする請求項８〜１３のいずれか一項に記載の構造化照明光学系。
【請求項１５】
前記1/2波長板における前記光束の常光線と異常光線との位相差が±５度以内であることを特徴とする請求項１〜１３のいずれか一項に記載の構造化照明光学系。
【請求項１６】
請求項１〜１５のいずれか一項に記載の構造化照明光学系と、
前記複数の光束の位相を変調する位相変調部と、
前記標本からの光を撮像装置の撮像面上に結像させる結像光学系と、
前記位相変調部により前記複数の光束の位相が変調される度に前記撮像装置により撮像された複数の画像を演算処理することにより標本像を生成する画像処理部と、
を備えたことを特徴とする構造化照明顕微鏡装置。
【請求項１７】
前記位相変調部は、前記光束分割手段を前記光軸に直交する方向に駆動させることにより、前記複数の光束の位相を変調することを特徴とする請求項１６に記載の構造化照明顕微鏡装置。
【請求項１８】
前記複数の光束の位相変調量に基づいて、前記位相変調部による前記光束分割手段の駆動量を決定する駆動量決定部を備えたことを特徴とする請求項１６に記載の構造化照明顕微鏡装置。
【手続補正２】
【補正対象書類名】明細書
【補正対象項目名】００１２
【補正方法】変更
【補正の内容】
【００１２】
本発明を例示する構造化照明光学系の一態様は、標本の共役位置近傍に配置され、光源からの光束を所定の軸の周りで分割方向が異なる複数群の光束に分割する光束分割手段と、前記複数群の光束から、少なくとも１群の光束を選択する光束選択部材とを有し、前記少なくとも１群の光束に含まれる複数の光束による干渉縞を前記標本に形成する構造化照明光学系であって、さらに、1/2波長板を含み、前記1/2波長板の進相軸は、前記光束選択部材により選択される前記１群の光束に依存して決まる、前記1/2波長板から出射させるべき光束の偏光方向に応じて、前記1/2波長板に入射する光束の偏光方向と前記1/2波長板から出射させるべき光束の偏光方向とのなす角の１／２の位置に設定されることを特徴とするものである。
【手続補正３】
【補正対象書類名】明細書
【補正対象項目名】００１３
【補正方法】変更
【補正の内容】
【００１３】
本発明を例示する構造化照明光学系の別の一態様は、標本の共役位置近傍に配置され、光源からの光束を複数の光束に分割する光束分割手段と、前記複数の光束の分割方向を制御する制御手段とを有し、前記複数の光束による干渉縞を前記標本に形成する構造化照明光学系であって、さらに1/2波長板を含み、前記1/2波長板の進相軸は、前記複数の光束の分割方向に依存して決まる、前記1/2波長板から出射させるべき光束の偏光方向に応じて、前記1/2波長板に入射する光束の偏光方向と、前記1/2波長板から出射させるべき光束の偏光方向とのなす角の１／２の位置に設定されることを特徴とするものである。
【国際調査報告】
2013001805.tif 000017
2013001805.tif 000018
2013001805.tif 000019
2013001805.tif 000020